【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
無線チャネルを介してデータを受信する無線受信器であって、該無線受信器は、
複数のアンテナであって、該無線チャネルから受信されたものが該複数のアンテナの各々において同一のものではないような信号ダイバシチを有する複数のアンテナと、
該複数のアンテナによって受信された複数の信号を処理するデジタル信号処理ロジックであって、該複数の信号は、Ｂａｒｋｅｒ変調された信号および相補コードキーイング（ＣＣＫ）信号のうちの１以上である、デジタル信号処理ロジックと、
該デジタル信号処理ロジックにおける復調ロジックであって、該復調ロジックは、該複数のアンテナのうちの２つ以上のアンテナからの一組の信号を復調し、該復調ロジックは、該一組の信号の変調に対応するＢａｒｋｅｒ相関器およびＣＣＫ相関器のうちの１以上を含む、復調ロジックと、
該デジタル信号処理ロジックにおける歪み補償であって、該複数のアンテナのうちの少なくとも２つのアンテナからの信号からの部分を含む、受信された該一組の信号の少なくとも一部を処理することにより、チャネル歪みを補償する歪み補償と
を備える、無線受信器。
【請求項２】
前記復調ロジックは、Ｂａｒｋｅｒ相関器およびＢａｒｋｅｒスライサを備えるＢａｒｋｅｒ復調器を備える、請求項１に記載の無線受信器。
【請求項３】
前記復調ロジックは、ＣＣＫ相関器およびＣＣＫスライサを備えるＣＣＫ復調器を備える、請求項１に記載の無線受信器。
【請求項４】
二乗平均誤差イコライザをさらに備える、請求項１に記載の無線受信器。
【請求項５】
決定フィードバックイコライザをさらに備える、請求項１に記載の無線受信器。
【請求項６】
前記複数のアンテナによって受信される前記複数の信号のうちの１以上を受信し、フィルタされた複数の信号を出力する白色化された整合フィルタをさらに備え、
該白色化された整合フィルタは、チャネル整合フィルタおよび白色化フィルタに従って該複数の信号のうちの１以上に対して動作する、請求項１に記載の無線受信器。
【請求項７】
フィードバックフィルタと、
前記白色化された整合フィルタと前記フィードバックフィルタとの合計からフィルタされた複数の信号を受信し、結果として生じるデータストリームを出力するシンボル・バイ・シンボル最短距離受信器（ＳｂＳ  ＭＤＲ）と
をさらに備える、請求項６に記載の無線受信器。
【請求項８】
前記ＳｂＳ  ＭＤＲは、
前記白色化された整合フィルタおよび前記無線チャネルの応答に整合した、ＳｂＳ  ＭＤＲ整合フィルタと、
相関器と、
スライサと
を備える、請求項７に記載の無線受信器。
【請求項９】
前記ＳｂＳ  ＭＤＲ整合フィルタおよび前記白色化フィルタを実現する組み合わされたフィルタを備える、請求項８に記載の無線受信器。
【請求項１０】
前記ＳｂＳ  ＭＤＲ整合フィルタおよび前記フィードバックフィルタを実現する組み合わされたフィルタを備える、請求項８に記載の無線受信器。
【請求項１１】
スライシングよりも前の補正を有する、請求項８に記載の無線受信器。
【請求項１２】
前記ＳｂＳ  ＭＤＲ整合フィルタおよび前記白色化フィルタを実現する組み合わされたフィルタを備える、請求項１１に記載の無線受信器。
【請求項１３】
前記ＳｂＳ  ＭＤＲ整合フィルタおよび前記フィードバックフィルタを実現する組み合わされたフィルタを備える、請求項１１に記載の無線受信器。
【請求項１４】
無線チャネルを介して複数のアンテナからデータを受信する無線受信器であって、該無線受信器は、
該複数のアンテナから受信された２つ以上の入力信号を受信し、フィルタされた複数の信号を出力する白色化された整合フィルタであって、該フィルタされた複数の信号は、該２つ以上の入力信号からの寄与で、白色化され整合されフィルタされた信号を表す少なくとも１つの組み合わされフィルタされた信号を含み、該白色化された整合フィルタは、チャネル整合フィルタおよび白色化フィルタに従って該２つ以上の入力信号に対して動作する、白色化された整合フィルタと、
該白色化された整合フィルタから該フィルタされた複数の信号を受信し、結果として生じるデータストリームを出力するシンボル・バイ・シンボル最短距離受信器（ＳｂＳ  ＭＤＲ）と
を備える、無線受信器。
【請求項１５】
受信された２以上の入力信号は、出力されたフィルタされた複数の信号とは異なる、請求項１４に記載の無線受信器。
【請求項１６】
Ｂａｒｋｅｒ復調器をさらに備える、請求項１４に記載の無線受信器。
【請求項１７】
相補コードキーイング復調器をさらに備える、請求項１４に記載の無線受信器。
【請求項１８】
決定フィードバックイコライザをさらに備える、請求項１４に記載の無線受信器。
【請求項１９】
前記ＳｂＳ  ＭＤＲは、
前記白色化された整合フィルタおよび前記無線チャネルの応答に整合した、ＳｂＳ  ＭＤＲ整合フィルタと、
相関器と、
スライサと
を備える、請求項１４に記載の無線受信器。
【請求項２０】
前記ＳｂＳ  ＭＤＲ整合フィルタおよび前記白色化フィルタを実現する組み合わされたフィルタを備える、請求項１９に記載の無線受信器。
【請求項２１】
前記ＳｂＳ  ＭＤＲ整合フィルタおよびフィードバックフィルタを実現する組み合わされたフィルタを備える、請求項１９に記載の無線受信器。
【請求項２２】
スライシングよりも前の補正を有する、請求項１９に記載の無線受信器。
【請求項２３】
前記ＳｂＳ  ＭＤＲ整合フィルタおよび前記白色化フィルタを実現する組み合わされたフィルタを備える、請求項２２に記載の無線受信器。
【請求項２４】
前記ＳｂＳ  ＭＤＲ整合フィルタおよびフィードバックフィルタを実現する組み合わされたフィルタを備える、請求項２２に記載の無線受信器。
【請求項２５】
前記チャネル整合フィルタは、前記ＳｂＳ  ＭＤＲ整合フィルタおよび前記白色化フィルタとは異なるフィルタとして実現される、請求項１４に記載の無線受信器。
【請求項２６】
無線チャネルを介してデータを受信する無線受信器であって、該無線受信器は、
チャネル整合フィルタと、
該チャネル整合フィルタの出力を受信するように結合された入力を有する第１の組み合わされたフィルタであって、該第１の組み合わされたフィルタは、シンボル・バイ・シンボル最短距離受信器（ＳｂＳ  ＭＤＲ）整合フィルタおよび白色化フィルタに従って動作する、第１の組み合わされたフィルタと、
フィードバック信号に加えられた、該第１の組み合わされたフィルタの出力を受信するように結合された相関器と、
１つ以上のウェイトが加えられた、該相関器の出力を受信するように結合されたスライサと、
スライサ出力を受信するように結合された第２の組み合わされたフィルタであって、該第２の組み合わされたフィルタは、該フィードバック信号を出力し、該ＳｂＳ  ＭＤＲ整合フィルタおよびフィードバックフィルタに従って動作する、第２の組み合わされたフィルタと、
該スライサの出力から結果として生じるデータストリームを出力するデータ出力と
を備える、無線受信器。
【請求項２７】
無線チャネルを介してデータを受信する無線受信器であって、該無線受信器は、
該無線チャネルから複数の信号を受信する複数のアンテナと、
シンボル・バイ・シンボル最短距離受信器（ＳｂＳ  ＭＤＲ）と、
チャネル整合フィルタとＳｂＳ  ＭＤＲ整合フィルタとの組み合わせである伝達関数を有する第１の組み合わされたフィルタであって、該チャネル整合フィルタが該無線チャネルのチャネル応答と整合され、該ＳｂＳ  ＭＤＲ整合フィルタが該ＳｂＳ  ＭＤＲと整合され、該第１の組み合わされたフィルタが１つ以上のフィルタされた出力を該ＳｂＳ  ＭＤＲに提供するように結合されている、第１の組み合わされたフィルタと、
該ＳｂＳ  ＭＤＲ整合フィルタの伝達関数をフィードバックフィルタに組み合わせる第２の組み合わされたフィルタであって、該フィードバックフィルタは、該ＳｂＳ  ＭＤＲの出力を受信し、該ＳｂＳ  ＭＤＲの入力において該１つ以上のフィルタされた出力と組み合わされるように信号をフィードバックする、第２の組み合わされたフィルタと
を備える、無線受信器。
【請求項２８】
前記ＳｂＳ  ＭＤＲは、
相関器と、
スライシングよりも前に、信号にウェイトを加える手段と、
該相関器からの、ウェイトを加えられた信号をスライスするスライサと
を備える、請求項２７に記載の無線受信器。
【請求項２９】
前記第１の組み合わされたフィルタは、白色化フィルタ伝達関数をさらに備える、請求項２７に記載の無線受信器。
【請求項３０】
無線チャネルを介してデータを受信する無線受信器であって、該無線受信器は、
該無線チャネルから１つ以上の信号を受信する１つ以上のアンテナと、
シンボル・バイ・シンボル最短距離受信器（ＳｂＳ  ＭＤＲ）と、
チャネル整合フィルタと白色化フィルタとＳｂＳ  ＭＤＲ整合フィルタとの組み合わせである伝達関数を有する第１の組み合わされたフィルタであって、該チャネル整合フィルタが該無線チャネルのチャネル応答と整合され、該ＳｂＳ  ＭＤＲ整合フィルタが該ＳｂＳ  ＭＤＲと整合され、該第１の組み合わされたフィルタが１つ以上のフィルタされた出力を該ＳｂＳ  ＭＤＲに提供するように結合されている、第１の組み合わされたフィルタと、
該ＳｂＳ  ＭＤＲ整合フィルタの伝達関数をフィードバックフィルタに組み合わせる第２の組み合わされたフィルタであって、該フィードバックフィルタは、該ＳｂＳ  ＭＤＲの出力を受信し、該ＳｂＳ  ＭＤＲの入力において該１つ以上のフィルタされた出力と組み合わされるように信号をフィードバックする、第２の組み合わされたフィルタと
を備える、無線受信器。
【請求項３１】
前記ＳｂＳ  ＭＤＲは、
相関器と、
スライシングよりも前に、信号にウェイトを加える手段と、
該相関器からの、ウェイトを加えられた信号をスライスするスライサと
を備える、請求項３０に記載の無線受信器。